【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
感光体と、前記感光体を帯電する帯電器と、前記帯電器により帯電された前記感光体を画像情報に基づき露光する光学系と、前記光学系により前記感光体に形成された静電潜像をトナーで現像する現像器と、前記現像器により前記感光体に形成されたトナー像を転写材に転写する転写帯電器と、前記感光体に残留する転写残トナーとともに前記感光体を帯電すべくトナーの正規の帯電極性とは逆極性の電圧が印加される補助帯電ブラシと、を有し、前記感光体に形成された静電潜像を前記現像器により現像するとき前記補助帯電ブラシにより帯電された転写残トナーを前記現像器へ回収可能な画像形成装置において、
前記補助帯電ブラシに接触するように設けられ、前記補助帯電ブラシに付着した転写残トナーを前記補助帯電ブラシの回転に伴いその軸線方向に向けて移動させるトナー移動部材を有することを特徴とする画像形成装置。
【請求項２】
前記トナー移動部材は、前記補助帯電ブラシの母線方向に対して所定の角度で傾けた平行な複数の案内部を有し、前記複数の案内部が前記補助帯電ブラシに接触することを特徴とする請求項１記載の画像形成装置。
【請求項３】
前記補助帯電ブラシの母線方向に対する傾きの角度が前記複数の案内部とは異なる平行な複数の案内部を有して、前記トナー移動部材が前記補助帯電ブラシに接触する面とは異なる面で前記補助帯電ブラシに接触する別のトナー移動部材を有することを特徴とする請求項２記載の画像形成装置。
【請求項４】
前記トナー移動部材の案内部と前記別のトナー移動部材の案内部とは、前記補助帯電ブラシの母線方向に対する傾き角度が逆方向で等しいことを特徴とする請求項３記載の画像形成装置。
【請求項５】
前記トナー移動部材と前記別のトナー移動部材とが絶縁性の樹脂材質によって形成されていることを特徴とする請求項３又は４記載の画像形成装置。
【手続補正２】
【補正対象書類名】明細書
【補正対象項目名】００２１
【補正方法】変更
【補正の内容】
【００２１】
本発明は、感光体と、前記感光体を帯電する帯電器と、前記帯電器により帯電された前記感光体を画像情報に基づき露光する光学系と、前記光学系により前記感光体に形成された静電潜像をトナーで現像する現像器と、前記現像器により前記感光体に形成されたトナー像を転写材に転写する転写帯電器と、前記感光体に残留する転写残トナーとともに前記感光体を帯電すべくトナーの正規の帯電極性とは逆極性の電圧が印加される補助帯電ブラシと、を有し、前記感光体に形成された静電潜像を前記現像器により現像するとき前記補助帯電ブラシにより帯電された転写残トナーを前記現像器へ回収可能な画像形成装置において、前記補助帯電ブラシに接触するように設けられ、前記補助帯電ブラシに付着した転写残トナーを前記補助帯電ブラシの回転に伴いその軸線方向に向けて移動させるトナー移動部材を有することを特徴とする。
【手続補正３】
【補正対象書類名】明細書
【補正対象項目名】００３１
【補正方法】変更
【補正の内容】
【００３１】
（ｃ）情報書き込み手段（露光装置）
帯電後の感光ドラム１表面は、静電潜像形成手段としての露光装置３によって静電潜像が形成される。本実施の形態では、露光装置３は、半導体レーザ使用のレーザビームスキャナである。帯電器により帯電された感光体を画像情報に基づき露光する光学系の一例であるレーザビームスキャナは、画像読み取り装置（不図示）等のホスト装置から画像形成装置側に送られた画像信号に対応して変調されたレーザ光を出力して感光ドラム１の一様帯電処理面を露光位置ｂにおいてレーザ走査露光Ｌ（イメージ走査露光）する。このレーザ走査露光Ｌにより感光ドラム１面のレーザ光で照射されたところの電位が低下する。これにより、感光ドラム１表面に順次に静電潜像が形成される。これにより感光ドラム１面には走査露光した画像情報に対応した静電潜像が順次に形成されていく。
【手続補正４】
【補正対象書類名】明細書
【補正対象項目名】００３２
【補正方法】変更
【補正の内容】
【００３２】
（ｄ）現像手段（現像装置）
感光ドラム１の回転方向に沿っての露光装置４の下流側には、現像装置４が配設されている。光学系により感光体に形成された静電潜像をトナーで現像する現像器の一例である現像装置４は、現像剤（トナー）を収納した現像容器４ａ、非磁性の現像スリーブ４ｂ、マグネットローラ４ｃ、規制ブレード４ｄを有している。
【手続補正５】
【補正対象書類名】明細書
【補正対象項目名】００３９
【補正方法】変更
【補正の内容】
【００３９】
（ｇ）第１の画像履歴消去手段（第１補助帯電手段）
第１の回転履歴消去手段８は、感光ドラム１表面に接触した状態で矢印Ｒ８方向に回転する回転ブラシ８Ａを有している。感光体に残留する転写残トナーとともに感光体を帯電すべくトナーの正規の帯電極性とは逆極性の電圧が印加される補助帯電ブラシの一例である回転ブラシ８Ａの回転方向は、感光ドラム１表面に接触する部分が、感光ドラム１表面とは逆方向に移動する方向である。
【手続補正６】
【補正対象書類名】明細書
【補正対象項目名】００４４
【補正方法】変更
【補正の内容】
【００４４】
接触部ｅにおいて、感光ドラム１表面から剥ぎ取られたトナーは、その後、図３に示すトナー移動部材であるトナー分散化部材Ｂ１，Ｂ２に接触する。トナー分散化部材Ｂ１，Ｂ２は、補助帯電ブラシに接触するように設けられ補助帯電ブラシに付着した転写残トナーを補助帯電ブラシの回転に伴いその軸線方向に向けて移動させる。トナー分散化部材Ｂ１は、図４に示すように、感光ドラム１表面の母線方向に沿って長く形成された板状のベース板９と、ベース板９における回転ブラシ８Ａとの接触面９ａに突設された角柱状の平行な複数のガイドｂ１（案内部）とを有している。平行な複数のガイドｂ１は、回転ブラシの回転方向（移動方向）に対して所定の角度θの角度の傾きをもって、ベース板９の長手方向に適宜な間隔で並べられている。角度θは、４５°≦θ＜９０の範囲内に設定されている。すなわち補助帯電ブラシの母線方向と案内部との小さい方の角度は、０°より大きく４５°以下である範囲である。また、相互に隣接するガイドｂ１，ｂ１については、一部が感光ドラム１の母線方向にオーバーラップするように形成されている。つまり、感光ドラム１表面から回転ブラシ８Ａによって剥ぎ取られたトナーが、必ずいずれかのガイドｂ１に衝突するようになっている。このようなトナー分散化部材Ｂ１に対して、トナー分散化部材Ｂ２は、ガイドｂ１の角度が−θとなる以外は同様な構成である。トナー分散化部材Ｂ１は、回転ブラシ８Ａの回転方向に沿っての、接触部ｅの下流側に配設され、またトナー分散化部材Ｂ２は、トナー分散化部材Ｂ１の下流側に配設されている。なお、以上の説明では、トナー分散化部材Ｂ１，Ｂ２のそれぞれのガイドｂ１の回転ブラシ８Ａの母線に対する傾きの角度が逆方向で、かつ絶対値が同じ場合を例に説明したが、絶対値は必ずしも一致しなくてもよい。
【手続補正７】
【補正対象書類名】明細書
【補正対象項目名】００５３
【補正方法】変更
【補正の内容】
【００５３】
以上説明したような、少なくとも第１の画像履歴消去手段及び第１履歴消去手段を用いることで、主走査方向のトナー濃度の比率に偏りがある画像を多く出力しても、補助帯電手段の長手方向における転写残トナーの分布の偏りを小さくすることができる。これにより、安定して画像履歴を消去することができる。そして、感光体に形成された静電潜像を現像器により現像するとき、補助帯電ブラシにより帯電された転写残トナーを現像器へ回収可能である。